(57)【要約】  １０Ｇｂｐｓトランスポンダ（３ａ）、４０Ｇｂｐｓトランスポンダ（３ｂ）、１００Ｇｂｐｓトランスポンダ（３ｃ）がそれぞれ処理する１０Ｇｂｐｓのクライアント信号（１ａ）〜（１ｃ）を、オプティカルカプラ（２ａ）〜（２ｃ）でＭ：Ｎスイッチ（４０）へ分岐させる。Ｍ：Ｎスイッチ（４０）は、分岐されたクライアント信号（１ａ）〜（１ｃ）の中から、冗長するクライアント信号を選択して、１０Ｇｂｐｓベースのクライアントインタフェースを有する冗長用１００Ｇｂｐｓトランスポンダ（５０）へ出力する。
2015129290.tif 000002
【特許請求の範囲】
【請求項１】
入力されるクライアント信号を処理する複数の現用トランスポンダによって互いに異なる波長のＷＤＭ（Ｗａｖｅｌｅｎｇｔｈ Ｄｉｖｉｓｉｏｎ Ｍｕｌｔｉｐｌｅｘ）ライン信号が出力され、前記ＷＤＭライン信号の伝送速度は複数種類が混在している波長多重光伝送システムにおける波長冗長装置であって、
前記現用トランスポンダへ前記クライアント信号を出力すると共に、前記クライアント信号を分岐させた冗長用クライアント信号を出力するオプティカルカプラと、
クライアントインタフェースを有し、前記クライアントインタフェースより入力される信号を処理して冗長用ＷＤＭライン信号として出力する冗長用トランスポンダと、
前記オプティカルカプラが出力する前記冗長用クライアント信号が入力され、前記冗長用トランスポンダの前記クライアントインタフェースに適合する伝送速度の信号を選択的に出力する選択切替部とを備え、
前記現用トランスポンダが出力する前記ＷＤＭライン信号の波長に障害が発生すると、前記選択切替部は、当該障害が発生した波長の前記ＷＤＭライン信号を出力する前記現用トランスポンダに入力される前記クライアント信号の前記冗長用クライアント信号を選択して、前記冗長用トランスポンダの前記クライアントインタフェースに適合する伝送速度の冗長用クライアント信号として出力し、前記冗長用トランスポンダは、前記選択切替部が出力する前記クライアントインタフェースに適合する伝送速度の冗長用クライアント信号を処理して前記冗長用ＷＤＭライン信号を出力することを特徴とする波長冗長装置。
【請求項２】
前記クライアント信号の伝送速度は、全て同一であり、
前記冗長用トランスポンダの前記クライアントインタフェースは、前記クライアント信号の伝送速度に適合しており、
前記選択切替部は、前記オプティカルカプラが出力する前記冗長用クライアント信号を選択的に出力するＭ（Ｍは２以上の整数）：Ｎ（Ｎは１以上の整数）スイッチで構成されることを特徴とする請求項１記載の波長冗長装置。
【請求項３】
前記クライアント信号の伝送速度は、複数種類が混在しており、
前記選択切替部は、
前記オプティカルカプラが出力する前記冗長用クライアント信号のうち、前記冗長用トランスポンダの前記クライアントインタフェースに適合しない伝送速度の信号を選択的に出力する第１のＭ（Ｍは２以上の整数）：Ｎ（Ｎは１以上の整数）スイッチと、
前記第１のＭ：Ｎスイッチが出力する前記冗長用クライアント信号を処理して、前記冗長用トランスポンダの前記クライアントインタフェースに適合する伝送速度の冗長用クライアント信号として出力するマックスポンダと、
前記オプティカルカプラが出力する前記冗長用クライアント信号のうち、前記冗長用トランスポンダの前記クライアントインタフェースに適合する伝送速度の信号、及び、前記マックスポンダが出力する前記冗長用トランスポンダの前記クライアントインタフェースに適合する伝送速度の冗長用クライアント信号を、前記冗長用トランスポンダへ選択的に出力する第２のＭ（Ｍは２以上の整数）：Ｎ（Ｎは１以上の整数）スイッチとで構成されることを特徴とする請求項１記載の波長冗長装置。
【請求項４】
前記選択切替部は、前記オプティカルカプラが出力する前記冗長用クライアント信号を優先度に応じて選択して出力することを特徴とする請求項１記載の波長冗長装置。
【請求項５】
入力されるクライアント信号を処理する複数の現用トランスポンダによって互いに異なる波長のＷＤＭ（Ｗａｖｅｌｅｎｇｔｈ Ｄｉｖｉｓｉｏｎ Ｍｕｌｔｉｐｌｅｘ）ライン信号が出力され、前記ＷＤＭライン信号の伝送速度は複数種類が混在している波長多重光伝送システムにおいて、
前記現用トランスポンダへ前記クライアント信号を出力すると共に、前記クライアント信号を分岐させた冗長用クライアント信号を出力するオプティカルカプラと、
クライアントインタフェースを有し、前記クライアントインタフェースより入力される信号を処理して冗長用ＷＤＭライン信号として出力する冗長用トランスポンダと、
前記オプティカルカプラが出力する前記冗長用クライアント信号が入力され、前記冗長用トランスポンダの前記クライアントインタフェースに適合する伝送速度の信号を選択的に出力する選択切替部とを備える波長冗長装置の波長冗長方法であって、
前記現用トランスポンダが出力する前記ＷＤＭライン信号の波長に障害が発生すると、前記選択切替部が、当該障害が発生した波長の前記ＷＤＭライン信号を出力する前記現用トランスポンダに入力される前記クライアント信号の前記冗長用クライアント信号を選択する信号選択ステップと、
前記選択切替部が、前記信号選択ステップで選択した前記冗長用クライアント信号を、前記冗長用トランスポンダの前記クライアントインタフェースに適合する伝送速度の冗長用クライアント信号として出力する第１の信号出力ステップと、
前記冗長用トランスポンダが、前記第１の信号出力ステップで出力された前記クライアントインタフェースに適合する伝送速度の冗長用クライアント信号を処理して、前記冗長用ＷＤＭライン信号を出力する第２の信号出力ステップとを備えることを特徴とする波長冗長方法。
【発明の詳細な説明】
【技術分野】
【０００１】
この発明は、波長多重光伝送システムにおける波長冗長装置及び波長冗長方法に関するものである。
【背景技術】
【０００２】
大容量光伝送を実現するにあたり、波長多重数の増加及び光ファイバ網の新規敷設だけでは需要に十分に応えられず、近年、トランスポンダあたりの伝送速度は、従来の１０Ｇｂｐｓから４０Ｇｂｐｓ、１００Ｇｂｐｓ、４００Ｇｂｐｓと急速に開発が進んでいる。海底ケーブルでの通信容量の増加の方法としては、従来の光ファイバを活用し、使用していた１０Ｇｂｐｓの帯域の一部をマイグレーションにより新規４０Ｇｂｐｓ、１００Ｇｂｐｓによって巻き取ることにより空けて、或いはもともと空けていた帯域を有効活用するような、アップグレード方式が一般的である。
このような技術動向を受け、互いに異なる伝送速度を持つトランスポンダが混在した波長多重光伝送システムが、近年増えつつある。【０００３】
ところで、波長多重光伝送システムは、ある単一波長に障害が発生した場合、その波長に載せられて伝送されるクライアント信号を保護するために、冗長系を有して当該冗長系と現用系とを切り替え可能なシステム構成としていた。【０００４】
例えば、特許文献１には、外部装置から受信したｎチャネル分の信号をチャネルごとにそれぞれ現用系用と予備系用の２方向に分岐する光カプラ１１−１〜１１−ｎと、光カプラ１１−１〜１１−ｎで分岐された現用系用の信号をλ１〜λｎの光信号に変換して送出するトランスポンダ１２−１〜１２−ｎと、光カプラ１１−１〜１１−ｎで分岐された予備系用の信号から予備系信号を選択して送出する光スイッチ１３と、光スイッチ１３から送出される予備系信号をλｎ＋１の光信号に変換して送出するトランスポンダ１２−（ｎ＋１）とを備えた光冗長切替え装置（波長冗長装置）が記載されている（特許文献１の図１参照）。【０００５】
トランスポンダ１２−１〜１２−ｎが送出するλ１〜λｎの光信号のうち、１つの波長に故障が検出されると、光スイッチ１３は、当該故障が検出された波長に載せられている信号に対応する予備系用の信号を選択して、トランスポンダ１２−（ｎ＋１）へ出力する。トランスポンダ１２−（ｎ＋１）は、出力されたこの信号を、λｎ＋１を用いて送信する（特許文献１の図４参照）。
【先行技術文献】
【特許文献】
【０００６】
【特許文献１】国際公開ＷＯ２０１０／０４４１５４号
【発明の概要】
【発明が解決しようとする課題】
【０００７】
しかしながら、上記したような波長冗長装置では、例えば、トランスポンダ１２−１が１０Ｇｂｐｓトランスポンダ、トランスポンダ１２−２が４０Ｇｂｐｓトランスポンダ、トランスポンダ１２−３が１００Ｇｂｐｓトランスポンダであるとすると、つまり、１００Ｇｂｐｓ、４０Ｇｂｐｓ、１０Ｇｂｐｓのような異なるＷＤＭ（Ｗａｖｅｌｅｎｇｔｈ Ｄｉｖｉｓｉｏｎ Ｍｕｌｔｉｐｌｅｘ）伝送速度が混在する波長多重光伝送システムに適用するとなると、ＷＤＭ伝送速度ごとに、波長冗長装置（光カプラ１１−１〜１１−ｎ、光スイッチ１３、トランスポンダ１２−（ｎ＋１）等）をそれぞれ設置する必要がある。このため、冗長用に設置する複数のトランスポンダ分の帯域を確保する必要があると共に、波長冗長装置に掛かるコスト及び設置スペース等が増大するという課題があった。【０００８】
この発明は、上記のような課題を解決するためになされたもので、異なるＷＤＭ伝送速度が混在する波長多重光伝送システムにおいて、ＷＤＭ伝送速度ごとにそれぞれ設置する必要のない波長冗長装置を得ることを目的とする。
【課題を解決するための手段】
【０００９】
この発明に係る波長冗長装置は、入力されるクライアント信号を処理する複数の現用トランスポンダによって互いに異なる波長のＷＤＭライン信号が出力され、ＷＤＭライン信号の伝送速度は複数種類が混在している波長多重光伝送システムにおけるものであって、現用トランスポンダへクライアント信号を出力すると共に、クライアント信号を分岐させた冗長用クライアント信号を出力するオプティカルカプラと、クライアントインタフェースを有し、クライアントインタフェースより入力される信号を処理して冗長用ＷＤＭライン信号として出力する冗長用トランスポンダと、オプティカルカプラが出力する冗長用クライアント信号が入力され、冗長用トランスポンダのクライアントインタフェースに適合する伝送速度の信号を選択的に出力する選択切替部とを備え、現用トランスポンダが出力するＷＤＭライン信号の波長に障害が発生すると、選択切替部は、当該障害が発生した波長のＷＤＭライン信号を出力する現用トランスポンダに入力されるクライアント信号の冗長用クライアント信号を選択して、冗長用トランスポンダのクライアントインタフェースに適合する伝送速度の冗長用クライアント信号として出力し、冗長用トランスポンダは、選択切替部が出力するクライアントインタフェースに適合する伝送速度の冗長用クライアント信号を処理して冗長用ＷＤＭライン信号を出力することを特徴とするものである。【００１０】
また、この発明に係る波長冗長方法は、入力されるクライアント信号を処理する複数の現用トランスポンダによって互いに異なる波長のＷＤＭライン信号が出力され、ＷＤＭライン信号の伝送速度は複数種類が混在している波長多重光伝送システムにおいて、現用トランスポンダへクライアント信号を出力すると共に、クライアント信号を分岐させた冗長用クライアント信号を出力するオプティカルカプラと、クライアントインタフェースを有し、クライアントインタフェースより入力される信号を処理して冗長用ＷＤＭライン信号として出力する冗長用トランスポンダと、オプティカルカプラが出力する冗長用クライアント信号が入力され、冗長用トランスポンダのクライアントインタフェースに適合する伝送速度の信号を選択的に出力する選択切替部とを備える波長冗長装置の波長冗長方法であって、現用トランスポンダが出力するＷＤＭライン信号の波長に障害が発生すると、選択切替部が、当該障害が発生した波長のＷＤＭライン信号を出力する現用トランスポンダに入力されるクライアント信号の冗長用クライアント信号を選択する信号選択ステップと、選択切替部が、信号選択ステップで選択した冗長用クライアント信号を、冗長用トランスポンダのクライアントインタフェースに適合する伝送速度の冗長用クライアント信号として出力する第１の信号出力ステップと、冗長用トランスポンダが、第１の信号出力ステップで出力されたクライアントインタフェースに適合する伝送速度の冗長用クライアント信号を処理して、冗長用ＷＤＭライン信号を出力する第２の信号出力ステップとを備えることを特徴とするものである。
【発明の効果】
【００１１】
この発明によれば、ＷＤＭ伝送速度ごとに波長冗長装置をそれぞれ設置する必要がなくなり、帯域の有効活用、波長冗長装置に掛かるコスト及び設置スペースの削減が可能である。
【図面の簡単な説明】
【００１２】
【図１】この発明の実施の形態１に係る波長冗長装置を備えた端局装置の構成を示す図である。
【図２】１つの波長を冗長している際の、この発明の実施の形態１に係る波長冗長装置のＭ：Ｎスイッチ内の信号の流れを示す図である。
【図３】複数の波長を冗長している際の、この発明の実施の形態１に係る波長冗長装置のＭ：Ｎスイッチ内の信号の流れを示す図である。
【図４】図３に示す状態から一部の波長の冗長を止めた際の、この発明の実施の形態１に係る波長冗長装置のＭ：Ｎスイッチ内の信号の流れを示す図である。
【図５】この発明の実施の形態１に係る波長冗長装置を備えた端局装置の構成の変形例を示す図である。
【図６】この発明の実施の形態２に係る波長冗長装置を備えた端局装置の構成を示す図である。
【図７】この発明の実施の形態２に係る波長冗長装置を備えた端局装置の構成の第１変形例を示す図である。
【図８】この発明の実施の形態２に係る波長冗長装置を備えた端局装置の構成の第２変形例を示す図である。
【図９】この発明の実施の形態２に係る波長冗長装置のＭ：Ｎスイッチ内の信号の流れを示す図である。
【発明を実施するための形態】
【００１３】
以下、この発明をより詳細に説明するために、この発明を実施するための形態について、添付の図面に従って説明する。
実施の形態１．
図１に、この発明の実施の形態１に係る波長冗長装置を備えた端局装置の構成例を示す。
端局装置は、バックホール側から伝送されるクライアント信号１ａ〜１ｃを分岐するオプティカルカプラ２ａ〜２ｃと、１０Ｇｂｐｓベースのクライアントインタフェースを１個備えた１０Ｇｂｐｓトランスポンダ３ａ（現用トランスポンダ）と、１０Ｇｂｐｓベースのクライアントインタフェースを４個備えた４０Ｇｂｐｓトランスポンダ３ｂ（現用トランスポンダ）と、１０Ｇｂｐｓベースのクライアントインタフェースを１０個備えた１００Ｇｂｐｓトランスポンダ３ｃ（現用トランスポンダ）と、入力された信号を選択的に出力するＭ：Ｎスイッチ４０（選択切替部）と、１０Ｇｂｐｓベースのクライアントインタフェースを１０個備えた冗長用１００Ｇｂｐｓトランスポンダ５０とを備えている。なお、図１では、冗長化に関係する構成要素のみを図示し、波長多重化、増幅等の処理を行う要素は省略する。
【００１４】
クライアント信号１ａは、１０Ｇｂｐｓトランスポンダ３ａに対応する１本の１０Ｇｂｐｓの信号である。クライアント信号１ｂは、１０Ｇｂｐｓの信号で、４０Ｇｂｐｓトランスポンダ３ｂに対応しており、４本伝送される。クライアント信号１ｃは、１０Ｇｂｐｓの信号で、１００Ｇｂｐｓトランスポンダ３ｃに対応しており、１０本伝送される。
【００１５】
クライアント信号１ａは、オプティカルカプラ２ａにより、１０Ｇｂｐｓトランスポンダ３ａ方向とＭ：Ｎスイッチ４０方向とに分岐される。同様に、クライアント信号１ｂは、オプティカルカプラ２ｂにより、４０Ｇｂｐｓトランスポンダ３ｂ方向とＭ：Ｎスイッチ４０方向とに分岐される。クライアント信号１ｃは、オプティカルカプラ２ｃにより、１００Ｇｂｐｓトランスポンダ３ｃ方向とＭ：Ｎスイッチ４０方向とに分岐される。
オプティカルカプラ２ａ〜２ｃにより２方向に分岐されるクライアント信号１ａ〜１ｃのうち、Ｍ：Ｎスイッチ４０へ向かうものは、冗長用のクライアント信号として分岐される。なお、Ｍ：Ｎスイッチ４０へ向かうものも、１０Ｇｂｐｓトランスポンダ３ａ又は４０Ｇｂｐｓトランスポンダ３ｂ又は１００Ｇｂｐｓトランスポンダ３ｃへ向かうものも、実質的に同じ信号であるので、両者ともクライアント信号１ａ〜１ｃと記載して説明する。
【００１６】
１０Ｇｂｐｓトランスポンダ３ａは、オプティカルカプラ２ａを介して入力されるクライアント信号１ａを、ライン側へ、１０ＧｂｐｓのＷＤＭライン信号４ａとして、波長λ１で出力する。また、４０Ｇｂｐｓトランスポンダ３ｂは、オプティカルカプラ２ｂを介して入力されるクライアント信号１ｂを束ねて、ライン側へ、４０ＧｂｐｓのＷＤＭライン信号４ｂとして、波長λ２で出力する。また、１００Ｇｂｐｓトランスポンダ３ｃは、入力されるクライアント信号１ｃを束ねて、ライン側へ、１００ＧｂｐｓのＷＤＭライン信号４ｃとして、波長λ３で出力する。
つまり、図１に示すのは、ＷＤＭライン信号の伝送速度（ＷＤＭ伝送速度）は異なる速度が混在し、クライアント信号の伝送速度は同一のものである。
【００１７】
Ｍ：Ｎスイッチ４０は、１０Ｇｂｐｓベースのクライアントインタフェースを１５個備え、オプティカルカプラ２ａ〜２ｃを介して入力されるクライアント信号１ａ〜１ｃを、選択的に冗長用クライアント信号６０として、最大１０本出力する。つまり、Ｍ：Ｎスイッチ４０は、１５：１０スイッチである。
【００１８】
冗長用１００Ｇｂｐｓトランスポンダ５０は、Ｍ：Ｎスイッチ４０から自身のクライアントインタフェースを介して入力される冗長用クライアント信号６０を束ねて、ライン側へ、１００Ｇｂｐｓの冗長用ＷＤＭライン信号７０として、波長λ４で出力する。
【００１９】
続いて、上記のように構成された端局装置の動作について説明する。
正常時においては、１０Ｇｂｐｓトランスポンダ３ａが、オプティカルカプラ２ａを介して入力されるクライアント信号１ａを、ライン側へ、１０ＧｂｐｓのＷＤＭライン信号４ａとして、波長λ１で出力する。同様に、４０Ｇｂｐｓトランスポンダ３ｂが、オプティカルカプラ２ｂを介して入力されるクライアント信号１ｂを、ライン側へ、４０ＧｂｐｓのＷＤＭライン信号４ｂとして、波長λ２で出力し、１００Ｇｂｐｓトランスポンダ３ｃが、オプティカルカプラ２ｃを介して入力されるクライアント信号１ｃを、ライン側へ、１００ＧｂｐｓのＷＤＭライン信号４ｃとして、波長λ３で出力する。そして、波長多重化、増幅等の処理が行われて、光伝送路へと出力される。
【００２０】
なお、上記した流れの動作は、図１に示す端局装置が送信側として機能するときの流れであり、この流れを逆にたどると、図１に示す端局装置は受信側として機能する。波長多重光伝送システムは、複数の端局装置が対向して構築される。
【００２１】
次に、波長に障害が発生した場合の動作つまり冗長処理について説明する。
例えば、１０Ｇｂｐｓトランスポンダ３ａが出力する１０ＧｂｐｓのＷＤＭライン信号４ａの波長λ１に関する経路上に、何らかの障害が発生したとする。
この障害は、例えば、対向する他の端局装置により検出されて、通知されるようにすればよい。または、端局装置を含む波長多重光伝送システム全体を管理する装置（不図示）等により検出され、端局装置へ通知されるようにしてもよい。
【００２２】
波長λ１に関する障害の通知を受け、１０Ｇｂｐｓトランスポンダ３ａは、自身が備える制御部（不図示）により、オプティカルカプラ２ａを介して入力されるクライアント信号１ａをソフトウェアあるいはハードウェアを用いて停止する。
また、波長λ１に関する障害の通知を受け、スイッチ制御部（Ｍ：Ｎスイッチ４０に備えられる。不図示）は、Ｍ：Ｎスイッチ４０のスイッチ切替を制御する。
スイッチ制御部に制御されて、Ｍ：Ｎスイッチ４０は、オプティカルカプラ２ａ〜２ｃを介して入力されるクライアント信号１ａ〜１ｃのうち、クライアント信号１ａを選択して、冗長用クライアント信号６０として出力する。このとき、冗長用１００Ｇｂｐｓトランスポンダ５０の一番低い番号のポート（クライアントインタフェース）へ接続するようにスイッチを切替える。このときのＭ：Ｎスイッチ４０内の信号の流れを、図２に示す。
【００２３】
冗長用１００Ｇｂｐｓトランスポンダ５０は、Ｍ：Ｎスイッチ４０から入力される冗長用クライアント信号６０（実質的にはクライアント信号１ａ）を、ライン側へ、１００Ｇｂｐｓの冗長用ＷＤＭライン信号７０として、波長λ４で出力する。このように、波長λ１の冗長を行う。
【００２４】
波長λ１に加えて更に、４０Ｇｂｐｓの波長λ２に関する経路上に何らかの障害が発生した場合、Ｍ：Ｎスイッチ４０は、オプティカルカプラ２ｂを介して入力されるクライアント信号１ｂを、まだ占有されていない冗長用１００Ｇｂｐｓトランスポンダ５０のポートのうち、一番低い番号のポートへ接続する。このときのＭ：Ｎスイッチ４０内の信号の流れを図３に示す。図３は、波長λ１及び波長λ２に関する障害が同時に発生した場合の、Ｍ：Ｎスイッチ４０内の信号の流れでもある。
冗長用１００Ｇｂｐｓトランスポンダ５０は、Ｍ：Ｎスイッチ４０から入力される冗長用クライアント信号６０（実質的にはクライアント信号１ａとクライアント信号１ｂ）を、ライン側へ、１００Ｇｂｐｓの冗長用ＷＤＭライン信号７０として、波長λ４で出力する。このように、複数の波長λ１，λ２を同時に冗長することが可能である。
なお、１００Ｇｂｐｓの波長λ３に関する経路上に何らかの障害が発生した場合も、上記波長λ１，λ２のときと同様の冗長処理を行う。
【００２５】
このように、１０Ｇｂｐｓトランスポンダ３ａ、４０Ｇｂｐｓトランスポンダ３ｂ、１００Ｇｂｐｓトランスポンダ３ｃが出力するＷＤＭライン信号４ａ〜４ｃの波長λ１〜λ３に関する障害が発生した場合、障害が発生した波長に載せられているクライアント信号は、冗長用１００Ｇｂｐｓトランスポンダ５０によって、冗長用ＷＤＭライン信号７０として出力される。
つまり、１０Ｇｂｐｓトランスポンダ３ａ、４０Ｇｂｐｓトランスポンダ３ｂ、１００Ｇｂｐｓトランスポンダ３ｃが現用系、冗長用１００Ｇｂｐｓトランスポンダ５０が冗長系となる。
【００２６】
オプティカルカプラ２ａ〜２ｃ、Ｍ：Ｎスイッチ４０、冗長用１００Ｇｂｐｓトランスポンダ５０が、波長冗長装置を構成しており、１０Ｇｂｐｓ、４０Ｇｂｐｓ、１００Ｇｂｐｓという異なるＷＤＭ伝送速度が混在していても、冗長用に設置するトランスポンダは冗長用１００Ｇｂｐｓトランスポンダ５０だけで済み、冗長用に確保する帯域も、冗長用１００Ｇｂｐｓトランスポンダ５０用だけで済む。従って、ＷＤＭ伝送速度ごとに波長冗長装置をそれぞれ設置する場合よりも、帯域の有効活用が可能となる。また、ＷＤＭ伝送速度ごとに波長冗長装置をそれぞれ設置する必要がないために、波長冗長装置に掛かるコスト及び設置スペースの削減が可能である。
【００２７】
なお、障害が発生して冗長用１００Ｇｂｐｓトランスポンダ５０からのライン側への出力に切替えられていたクライアント信号について、その障害が解消し、再度現用系からのライン側への出力へ戻す際、Ｍ：Ｎスイッチ４０からの冗長用１００Ｇｂｐｓトランスポンダ５０のポートへの接続を、低い番号へのポートへと並び替えるとアウテージが発生するため、並び替えは行わないようにする。
例えば、図３のように一番低い番号のポートを占有しているクライアント信号１ａを現用系からのライン側への出力へ戻すと、Ｍ：Ｎスイッチ４０から冗長用１００Ｇｂｐｓトランスポンダ５０の一番低い番号のポートへの接続に空きが出るが（図４に破線で示す）、図４のように、クライアント信号１ｂの接続先のポートは変更せずそのままとする。
【００２８】
また、図５に示すように、出力する波長がそれぞれ異なる１０Ｇｂｐｓトランスポンダ３ａをａ（ａは１以上の整数）枚、４０Ｇｂｐｓトランスポンダ３ｂをｂ（ｂは１以上の整数）枚、１００Ｇｂｐｓトランスポンダ３ｃをｃ（ｃは１以上の整数）枚設けて、ａ枚の１０Ｇｂｐｓトランスポンダ３ａ全体で１０Ｇｂｐｓベースのクライアントインタフェースを１×ａ、ｂ枚の４０Ｇｂｐｓトランスポンダ３ｂ全体で１０Ｇｂｐｓベースのクライアントインタフェースを４×ｂ、ｃ枚の１００Ｇｂｐｓトランスポンダ３ｃ全体で１０Ｇｂｐｓベースのクライアントインタフェースを１０×ｃだけ有することができる。
【００２９】
図５におけるクライアント信号１ａは、ａ枚の１０Ｇｂｐｓトランスポンダ３ａにそれぞれ対応して、合計１×ａ本伝送される。同様に、クライアント信号１ｂは、ｂ枚の４０Ｇｂｐｓトランスポンダ３ｂにそれぞれ対応して、合計４×ｂ本伝送される。クライアント信号１ｃは、ｃ枚の１００Ｇｂｐｓトランスポンダ３ｃにそれぞれ対応して、合計１０×ｃ本伝送される。
Ｍ：Ｎスイッチ４１は、（１×ａ＋４×ｂ＋１０×ｃ）：１０スイッチであり、障害が発生した波長に載せられているクライアント信号を選択して冗長用クライアント信号６０として冗長用１００Ｇｂｐｓトランスポンダ５０に出力することにより、図１に示した構成と同様に、冗長処理が可能である。
このように、１０Ｇｂｐｓトランスポンダ３ａがａ枚、４０Ｇｂｐｓトランスポンダ３ｂがｂ枚、１００Ｇｂｐｓトランスポンダ３ｃがｃ枚ある場合でも、冗長用のトランスポンダは、１００Ｇｂｐｓトランスポンダ５０の１枚で対応できる。
【００３０】
図５に示す構成の場合、冗長用１００Ｇｂｐｓトランスポンダ５０の１０個あるポートの内既に８個が占有されている状態で、更にｂ枚の４０Ｇｂｐｓトランスポンダ３ｂの内１枚からの出力を冗長用１００Ｇｂｐｓトランスポンダ５０からの出力に切替えようとしても、１０Ｇｂｐｓのクライアント信号はあと２本しか切替えられない。こうした場合は、予め、クライアント信号に優先順位を設定しておき、Ｍ：Ｎスイッチ４１がその優先順位に従ってクライアント信号を選択的に出力するようスイッチ制御部で制御して、冗長を行えばよい。
なお、図５において他図と同一又は相当の部分については同一の符号を付し、その説明を省略又は簡略化する。以降の図においても同様である。
【００３１】
以上のように、この実施の形態１によれば、複数種類のＷＤＭ伝送速度が混在している場合であっても、クライアント信号１ａ〜１ｃに合わせたクライアントインタフェースを持つ冗長用１００Ｇｂｐｓトランスポンダ５０へ、Ｍ：Ｎスイッチ４０又はＭ：Ｎスイッチ４１が、冗長するクライアント信号１ａ〜１ｃを選択的に出力することで、波長冗長を行うこととした。従って、ＷＤＭ伝送速度ごとに波長冗長装置をそれぞれ設置する必要がなくなり、帯域の有効活用、波長冗長装置に掛かるコスト及び設置スペースの削減が可能である。
【００３２】
また、Ｍ：Ｎスイッチ４０，４１が、クライアント信号の優先度に応じてクライアント信号を選択的に出力することとした。従って、重要なクライアント信号を確実に冗長することが可能である。
【００３３】
なお、Ｍ：Ｎスイッチ４０、Ｍ：Ｎスイッチ４１は、上記した１５：１０スイッチ、（１×ａ＋４×ｂ＋１０×ｃ）：１０スイッチに限らず、クライアント信号１ａ〜１ｃの本数、端局装置の構成状況に応じて、Ｋ（Ｋは２以上の整数）：Ｌ（Ｌは１以上の整数）のスイッチとして構成してもよい。
【００３４】
実施の形態２．
図６に、この発明の実施の形態２に係る波長冗長装置を備えた端局装置の構成例を示す。
実施の形態１では、異なるＷＤＭ伝送速度が混在し、クライアント信号の伝送速度が同一の場合の冗長について示したが、実施の形態２では、異なるＷＤＭ伝送速度が混在し、クライアント信号の伝送速度も複数種類が混在している場合の冗長について示す。
【００３５】
端局装置は、バックホール側から伝送されるクライアント信号１ｄ，１ｅを分岐するオプティカルカプラ２ｄ，２ｅと、１０Ｇｂｐｓベースのクライアントインタフェースをそれぞれ１個備えたｄ（ｄは１以上の整数）枚の１０Ｇｂｐｓトランスポンダ３ｄ（現用トランスポンダ）と、１００Ｇｂｐｓベースのクライアントインタフェースをそれぞれ１個備えたｅ（ｅは１以上の整数）枚の１００Ｇｂｐｓトランスポンダ３ｅ（現用トランスポンダ）と、入力された信号を選択的に出力するＭ：Ｎスイッチ４２，Ｎ：１スイッチ４３と、１０Ｇｂｐｓベースのクライアントインタフェースを１０個備えたマックスポンダ８０と、１００Ｇｂｐｓベースのクライアントインタフェースを１個備えた冗長用１００Ｇｂｐｓトランスポンダ５１とを備えている。なお、図６では、冗長化に関係する構成要素のみを図示し、波長多重化、増幅等の処理を行う要素は省略する。
【００３６】
クライアント信号１ｄは、１０Ｇｂｐｓの信号で、ｄ枚の１０Ｇｂｐｓトランスポンダ３ｄそれぞれに対応しており、合計１×ｄ本伝送される。クライアント信号１ｅは、１００Ｇｂｐｓの信号で、ｅ枚の１００Ｇｂｐｓトランスポンダ３ｅそれぞれに対応しており、合計１×ｅ本伝送される。クライアント信号１ｄは、オプティカルカプラ２ｄにより、１０Ｇｂｐｓトランスポンダ３ｄ方向とＭ：Ｎスイッチ４２方向とに分岐される。クライアント信号１ｅは、オプティカルカプラ２ｅにより、１００Ｇｂｐｓトランスポンダ３ｅ方向とＮ：１スイッチ４３方向とに分岐される。
オプティカルカプラ２ｄ，２ｅにより２方向に分岐されるクライアント信号１ｄ，１ｅのうち、Ｍ：Ｎスイッチ４２又はＮ：１スイッチ４３へ向かうものは、冗長用のクライアント信号として分岐される。なお、Ｍ：Ｎスイッチ４２又はＮ：１スイッチ４３へ向かうものも、１０Ｇｂｐｓトランスポンダ３ｄ又は１００Ｇｂｐｓトランスポンダ３ｅへ向かうものも、実質的に同じ信号であるので、両者ともクライアント信号１ｄ，１ｅと記載して説明する。
【００３７】
ｄ枚の１０Ｇｂｐｓトランスポンダ３ｄは、オプティカルカプラ２ｄを介してそれぞれ入力されるクライアント信号１ｄを、ライン側へ、１０ＧｂｐｓのＷＤＭライン信号４ｄとして、それぞれ異なる波長λ１１〜λ１ｄで出力する。また、ｅ枚の１００Ｇｂｐｓトランスポンダ３ｅは、オプティカルカプラ２ｅを介してそれぞれ入力されるクライアント信号１ｅを、ライン側へ、１００ＧｂｐｓのＷＤＭライン信号４ｅとして、それぞれ異なる波長λ３１〜λ３ｅで出力する。
【００３８】
Ｍ：Ｎスイッチ４２は、１０Ｇｂｐｓベースのクライアントインタフェースを、クライアント信号１ｄの合計本数と同じ１×ｄ個備え、オプティカルカプラ２ｄを介して入力されるクライアント信号１ｄを、選択的に冗長用クライアント信号６１として、最大１０本出力する。つまり、Ｍ：Ｎスイッチ４２は、ｄ：１０スイッチである。
【００３９】
マックスポンダ８０は、Ｍ：Ｎスイッチ４２から入力される冗長用クライアント信号６１を束ねて、１００Ｇｂｐｓの冗長用クライアント信号６２として出力する。
Ｎ：１スイッチ４３は、マックスポンダ８０から入力される冗長用クライアント信号６２用とオプティカルカプラ２ｅを介して入力されるクライアント信号１ｅ用に、１００Ｇｂｐｓベースのクライアントインタフェースを、１＋１×ｅ個備える。Ｎ：１スイッチ４３は、入力される冗長用クライアント信号６２とクライアント信号１ｅを、選択的に冗長用クライアント信号６３として出力する。つまり、Ｎ：１スイッチ４３は、ｅ＋１：１スイッチである。
【００４０】
冗長用１００Ｇｂｐｓトランスポンダ５１は、Ｎ：１スイッチ４３から自身のクライアントインタフェースを介して入力される冗長用クライアント信号６３を、ライン側へ、１００Ｇｂｐｓの冗長用ＷＤＭライン信号７１として、波長λ４１で出力する。
【００４１】
続いて、上記のように構成された端局装置の動作について説明する。
正常時においては、ｄ枚の１０Ｇｂｐｓトランスポンダ３ｄが、オプティカルカプラ２ｄを介してそれぞれ入力されるクライアント信号１ｄを、ライン側へ、１０ＧｂｐｓのＷＤＭライン信号４ｄとして、それぞれ異なる波長λ１１〜λ１ｄで出力する。同様に、ｅ枚の１００Ｇｂｐｓトランスポンダ３ｅが、オプティカルカプラ２ｅを介して入力されるクライアント信号１ｅを、ライン側へ、１００ＧｂｐｓのＷＤＭライン信号４ｅとして、それぞれ異なる波長λ３１〜λ３ｅで出力する。そして、波長多重化、増幅等の処理が行われて、光伝送路へと出力される。
【００４２】
なお、上記した流れの動作は、図６に示す端局装置が送信側として機能するときの流れであり、この流れを逆にたどると、図６に示す端局装置は受信側として機能する。波長多重光伝送システムは、複数の端局装置が対向して構築される。
【００４３】
次に、波長に障害が発生した場合の動作つまり冗長処理について説明する。
例えば、ｄ枚の１０Ｇｂｐｓトランスポンダ３ｄが出力する１０ＧｂｐｓのＷＤＭライン信号４ｄの波長λ１１〜λ１ｄのうち、１０個以下の波長に関する経路上に何らかの障害が発生し、その旨が端局装置へ通知されたとする。
【００４４】
波長に関する障害の通知を受け、障害が発生した波長を出力している１０Ｇｂｐｓトランスポンダ３ｄは、自身が備える制御部（不図示）により、オプティカルカプラ２ｄを介して入力されるクライアント信号１ｄをソフトウェアあるいはハードウェアを用いて停止する。
また、波長に関する障害の通知を受け、スイッチ制御部（不図示）は、Ｍ：Ｎスイッチ４２、Ｎ：１スイッチ４３のスイッチ切替を制御する。
スイッチ制御部に制御されて、Ｍ：Ｎスイッチ４２は、オプティカルカプラ２ｄを介して入力されるクライアント信号１ｄであって、障害が発生した波長に載せられて１０Ｇｂｐｓトランスポンダ３ｄから出力されていたクライアント信号１ｄを選択して、冗長用クライアント信号６１として出力する。
【００４５】
マックスポンダ８０は、Ｍ：Ｎスイッチ４２から入力される冗長用クライアント信号６１（実質的にはクライアント信号１ｄ）を束ねて、１００Ｇｂｐｓの冗長用クライアント信号６２として出力する。
Ｎ：１スイッチ４３は、スイッチ制御部に制御されて、マックスポンダ８０から入力される冗長用クライアント信号６２を冗長用クライアント信号６３として選択して出力する。
冗長用１００Ｇｂｐｓトランスポンダ５１は、Ｎ：１スイッチ４３から入力される冗長用クライアント信号６３を、ライン側へ、１００Ｇｂｐｓの冗長用ＷＤＭライン信号７１として、波長λ４１で出力する。これにより、障害が発生した１０個以下の複数の波長を同時に冗長することができる。
【００４６】
あるいは例えば、ｅ枚の１００Ｇｂｐｓトランスポンダ３ｅが出力する１００Ｇｂｐｓの波長λ３１〜λ３ｅのうち、いずれか１個の波長に関する経路上に何らかの障害が発生したとする。
この場合、Ｎ：１スイッチ４３は、オプティカルカプラ２ｅを介して入力されるクライアント信号１ｅであって、障害が発生した波長に載せられて１００Ｇｂｐｓトランスポンダ３ｅから出力されているクライアント信号１ｅを、冗長用クライアント信号６３として選択して出力する。
冗長用１００Ｇｂｐｓトランスポンダ５１は、Ｎ：１スイッチ４３から入力される冗長用クライアント信号６３（実質的にはクライアント信号１ｅ）を、ライン側へ、１００Ｇｂｐｓの冗長用ＷＤＭライン信号７１として、波長λ４１で出力する。これにより、障害が発生した波長λ３１〜λ３ｅを冗長することができる。
【００４７】
このように、ｄ枚の１０Ｇｂｐｓトランスポンダ３ｄ、ｅ枚の１００Ｇｂｐｓトランスポンダ３ｅが現用系、冗長用１００Ｇｂｐｓトランスポンダ５１が冗長系のトランスポンダとして機能する。
Ｍ：Ｎスイッチ４２、Ｎ：１スイッチ４３、マックスポンダ８０が、選択切替部を構成しており、当該選択切替部、オプティカルカプラ２ｄ，２ｅ、冗長用１００Ｇｂｐｓトランスポンダ５１が波長冗長装置を構成している。１０Ｇｂｐｓ、１００Ｇｂｐｓという異なるＷＤＭ伝送速度が混在していても、冗長用に設置するトランスポンダは冗長用１００Ｇｂｐｓトランスポンダ５１だけで済み、冗長用に確保する帯域も、冗長用１００Ｇｂｐｓトランスポンダ５１用だけで済む。従って、ＷＤＭ伝送速度ごとに波長冗長装置をそれぞれ設置する場合よりも、帯域の有効活用が可能となる。また、ＷＤＭ伝送速度ごとに波長冗長装置をそれぞれ設置する必要がないために、波長冗長装置に掛かるコスト及び設置スペースの削減が可能である。
【００４８】
なお、ｄ枚の１０Ｇｂｐｓトランスポンダ３ｄが出力する１０Ｇｂｐｓの波長λ１１〜λ１ｄのうち、１１個以上の波長に関する障害が発生した場合、または、ｅ枚の１００Ｇｂｐｓトランスポンダ３ｅが出力する１００Ｇｂｐｓの波長λ３１〜λ３ｅのうち、２個以上の波長に関する障害が発生した場合は、優先的に冗長するクライアント信号１ｄ，１ｅの順位を予め設定すること等により、Ｍ：Ｎスイッチ４２、Ｎ：１スイッチ４３がその優先順位に従ってクライアント信号を選択的に出力するようスイッチ制御部で制御して、対応すればよい。
【００４９】
図６では、１０Ｇｂｐｓのクライアント信号１ｄがそれぞれ入力されるｄ枚の１０Ｇｂｐｓトランスポンダ３ｄと、１００Ｇｂｐｓのクライアント信号１ｅがそれぞれ入力されるｅ枚の１００Ｇｂｐｓトランスポンダ３ｅとが混在している場合の構成について示したが、図７及び図８では、更に、４０Ｇｂｐｓのクライアント信号１ｆがそれぞれ入力されるｆ（ｆは１以上の整数）枚の４０Ｇｂｐｓトランスポンダ３ｆ（現用トランスポンダ）も混在する場合の構成を示す。ｆ枚の４０Ｇｂｐｓトランスポンダ３ｆは、それぞれ４０Ｇｂｐｓベースのクライアントインタフェースを１個備えており、オプティカルカプラ２ｆを介してそれぞれ入力されるクライアント信号１ｆを、ライン側へ、４０ＧｂｐｓのＷＤＭライン信号４ｆとして、それぞれ異なる波長λ２１〜λ２ｆで出力する。
【００５０】
このような構成において冗長化を行うには、単純に、図６のオプティカルカプラ２ｄからＭ：Ｎスイッチ４２、マックスポンダ８０、Ｎ：１スイッチ４３へと繋がる経路に相当するような、オプティカルカプラ２ｆからＭ：Ｎスイッチ４４、マックスポンダ８１、Ｎ：１スイッチ４３へと繋がる経路を追加して構成すればよい。この構成を図７に示す。
Ｍ：Ｎスイッチ４４は４０Ｇｂｐｓベースのクライアントインタフェースを、クライアント信号１ｆの合計本数と同じ１×ｆ個備え、オプティカルカプラ２ｆを介して入力されるクライアント信号１ｆを、選択的に冗長用クライアント信号６４として出力する。
【００５１】
マックスポンダ８１は、Ｍ：Ｎスイッチ４４から入力される冗長用クライアント信号６４（実質的にはクライアント信号１ｆ）を束ねて、１００Ｇｂｐｓの冗長用クライアント信号６５として出力する。
Ｎ：１スイッチ４３は、マックスポンダ８０から入力される冗長用クライアント信号６２と、オプティカルカプラ２ｅを介して入力されるクライアント信号１ｅに加え、マックスポンダ８１から入力される冗長用クライアント信号６５を、選択的に冗長用クライアント信号６３として出力する。従って、図７におけるＮ：１スイッチ４３は、１００Ｇｂｐｓベースのクライアントインタフェースを、１＋１×ｅ＋１個備えた、ｅ＋２：１スイッチである。
冗長用１００Ｇｂｐｓトランスポンダ５１は、Ｎ：１スイッチ４３から自身のクライアントインタフェースを介して入力される冗長用クライアント信号６３を、ライン側へ、１００Ｇｂｐｓの冗長用ＷＤＭライン信号７１として、波長λ４１で出力する。
【００５２】
図７においては、Ｍ：Ｎスイッチ４２，４４、Ｎ：１スイッチ４３、マックスポンダ８０，８１が、選択切替部を構成しており、当該選択切替部、オプティカルカプラ２ｄ〜２ｆ、冗長用１００Ｇｂｐｓトランスポンダ５１が波長冗長装置を構成している。
【００５３】
図８は、１０Ｇｂｐｓのクライアント信号１ｄがそれぞれ入力されるｄ枚の１０Ｇｂｐｓトランスポンダ３ｄと、１００Ｇｂｐｓのクライアント信号１ｅがそれぞれ入力されるｅ枚の１００Ｇｂｐｓトランスポンダ３ｅと、４０Ｇｂｐｓのクライアント信号１ｆがそれぞれ入力されるｆ枚の４０Ｇｂｐｓトランスポンダ３ｆとが混在する構成において冗長を行う際に、上記した図７とは違う構成を採用したものである。
【００５４】
Ｍ：Ｎスイッチ４５は、クライアント信号１ｄ用にｄ個、クライアント信号１ｆ用にｆ個、合計ｄ＋ｆ個のクライアントインタフェースを備え、オプティカルカプラ２ｄを介して入力されるクライアント信号１ｄの内最大２本を、オプティカルカプラ２ｆを介して入力されるクライアント信号１ｆの内最大２本を、選択的に冗長用クライアント信号６６として出力する。
マックスポンダ８２は、１０Ｇｂｐｓベースのクライアントインタフェースを２個、４０Ｇｂｐｓベースのクライアントインタフェースを２個備えており、Ｍ：Ｎスイッチ４２から入力される冗長用クライアント信号６６（実質的には最大２本のクライアント信号１ｄ及び最大２本のクライアント信号１ｆ）を束ねて、１００Ｇｂｐｓの冗長用クライアント信号６７として出力する。
【００５５】
Ｎ：１スイッチ４３、冗長用１００Ｇｂｐｓトランスポンダ５１の働きは図６を用いて説明したものと同様である。
図８においては、Ｍ：Ｎスイッチ４５、Ｎ：１スイッチ４３、マックスポンダ８２が、選択切替部を構成しており、当該選択切替部、オプティカルカプラ２ｄ〜２ｆ、冗長用１００Ｇｂｐｓトランスポンダ５１が波長冗長装置を構成している。
【００５６】
冗長処理を行っている際の、Ｍ：Ｎスイッチ４５内の信号の流れをマックスポンダ８２と共に図９に示す。Ｍ：Ｎスイッチ４５は、オプティカルカプラ２ｄ，２ｆを介して入力されるクライアント信号１ｄ，１ｆのうち、それぞれ最大で２本を選択して、冗長用クライアント信号６６として出力する。
なお、新たにマックスポンダ８２へ冗長用クライアント信号６６を出力するときは、マックスポンダ８２の空いているポート（クライアントインタフェース）のうち、一番低い番号のポートへ接続するようにする一方、図４で説明したのと同様に、障害が解消し、再度現用系からのライン側への出力へ戻す際、Ｍ：Ｎスイッチ４５からのマックスポンダ８２のポートへの接続の並び替えは行わない。
【００５７】
なお、図８に示すように、マックスポンダ８２は、入力される信号の伝送速度が１００Ｇｂｐｓ以下で、出力する信号の伝送速度が冗長用のトランスポンダに入力可能であれば（図８では冗長用１００Ｇｂｐｓトランスポンダ５１のクライアントインタフェースに入力可能であれば）、１０Ｇｂｐｓベースのクライアントインタフェースを２個、４０Ｇｂｐｓベースのクライアントインタフェースを２個のように、自身のクライアントインタフェースの構成を、目的に応じて変更したものを使用してよい。例えば、マックスポンダ８２のクライアントインタフェースの構成を、１０Ｇｂｐｓベースのクライアントインタフェースを６個、４０Ｇｂｐｓベースのクライアントインタフェースを１個とすることも考えられる。この場合、Ｍ：Ｎスイッチ４５は、オプティカルカプラ２ｄを介して入力されるクライアント信号１ｄの内最大６本を、オプティカルカプラ２ｆを介して入力されるクライアント信号１ｆの内最大１本を、選択的に冗長用クライアント信号６６として出力するように構成する。
【００５８】
また、図６、図７及び図８では、冗長用１００Ｇｂｐｓトランスポンダ５１を構成要素として示したが、これに代えて、例えば、１００Ｇｂｐｓベースのクライアントインタフェースを４個備えた４００Ｇｂｐｓトランスポンダで構成してもよい。この場合、Ｎ：１スイッチ４３に代えて、Ｍ：Ｎスイッチ（Ｍ：４スイッチ）として構成する。これにより、より多くの波長を同時に冗長することができる。なお、当該Ｍ：Ｎスイッチは、端局装置の構成状況に応じて、Ｋ（Ｋは２以上の整数）：Ｌ（Ｌは１以上の整数）のスイッチとして構成してもよい。
【００５９】
また、Ｍ：Ｎスイッチ４２，４４，４５についても同様に、上記したｄ：１０スイッチ等に限らず、クライアント信号１ｄ〜１ｆの本数、端局装置の構成状況に応じて、Ｋ（Ｋは２以上の整数）：Ｌ（Ｌは１以上の整数）のスイッチとして構成してもよい。
【００６０】
以上のように、この実施の形態２によれば、複数種類のＷＤＭ伝送速度が混在している場合であっても、Ｍ：Ｎスイッチ、Ｎ：１スイッチが、冗長するクライアント信号１ｄ〜１ｆを選択的に出力すると共に、冗長用１００Ｇｂｐｓトランスポンダ５１のクライアントインタフェースに合わない信号を、当該クライアントインタフェースに合った伝送速度の信号に変換するマックスポンダを備えて、波長冗長を行うこととした。従って、ＷＤＭ伝送速度ごとに波長冗長装置をそれぞれ設置する必要がなくなり、帯域の有効活用、波長冗長装置に掛かるコスト及び設置スペースの削減が可能である。
【００６１】
また、Ｍ：Ｎスイッチ、Ｎ：１スイッチが、クライアント信号の優先度に応じてクライアント信号を選択的に出力することとした。従って、重要なクライアント信号を確実に冗長することが可能である。
【００６２】
なお、本願発明はその発明の範囲内において、各実施の形態の自由な組み合わせ、あるいは各実施の形態の任意の構成要素の変形、もしくは各実施の形態においての任意の構成要素の省略が可能である。
【００６３】
また、この発明によれば、波長冗長されていない現行のシステムが存在しており、この現行のシステムとは別に、ＷＤＭライン信号の伝送速度がより速いシステムを新たに構築する際、新たに構築するシステムと共に、波長冗長されていない現行のシステムもまとめて冗長化することが可能である。
【００６４】
また、この発明によれば、冗長系として使用するトランスポンダが収容することが可能な範囲で、複数の波長を同時に保護することが可能となる。従って、中継器の出力揺れ、偏波ホールバーニングなどが原因により複数波長に同時に障害が発生しやすい海底ケーブルにおける光通信において、特に大きな効果を発揮する。
【００６５】
また、上記では、各クライアント信号、各ＷＤＭライン信号の伝送速度が、１０Ｇｂｐｓ、４０Ｇｂｐｓ、１００Ｇｂｐｓである構成について説明したが、各クライアント信号、各ＷＤＭライン信号の伝送速度は、これらに限るものではない。
【産業上の利用可能性】
【００６６】
以上のように、この発明に係る波長冗長装置及び波長冗長方法は、ＷＤＭ伝送速度ごとに波長冗長装置をそれぞれ設置する必要がなくなり、帯域の有効活用、波長冗長装置に掛かるコスト及び設置スペースの削減が可能であるため、波長多重光伝送システムにおいて波長を冗長するために用いるのに適している。
【符号の説明】
【００６７】
１ａ〜１ｆ  クライアント信号、２ａ〜２ｆ  オプティカルカプラ、３ａ，３ｄ  １０Ｇｂｐｓトランスポンダ（現用トランスポンダ）、３ｂ，３ｆ  ４０Ｇｂｐｓトランスポンダ（現用トランスポンダ）、３ｃ，３ｅ  １００Ｇｂｐｓトランスポンダ（現用トランスポンダ）、４ａ〜４ｆ  ＷＤＭライン信号、４０〜４２，４４，４５  Ｍ：Ｎスイッチ、４３  Ｎ：１スイッチ、５０，５１  冗長用１００Ｇｂｐｓトランスポンダ、６０〜６７  冗長用クライアント信号、７０，７１  冗長用ＷＤＭライン信号、８０〜８２  マックスポンダ。
【図１】
2015129290.tif 000003
【図２】
2015129290.tif 000004
【図３】
2015129290.tif 000005
【図４】
2015129290.tif 000006
【図５】
2015129290.tif 000007
【図６】
2015129290.tif 000008
【図７】
2015129290.tif 000009
【図８】
2015129290.tif 000010
【図９】
2015129290.tif 000011
【手続補正書】
【提出日】平成28年12月8日(2016.12.8)
【手続補正１】
【補正対象書類名】明細書
【補正対象項目名】０００９
【補正方法】変更
【補正の内容】
【０００９】
この発明に係る波長冗長装置は、入力されるクライアント信号を処理する複数の現用トランスポンダによって互いに異なる波長のＷＤＭライン信号が出力され、ＷＤＭライン信号は、収容可能なクライアント信号数が異なる複数の伝送速度が混在している波長多重光伝送システムにおけるものであって、クライアント信号の伝送速度は、複数種類が混在しており、現用トランスポンダへクライアント信号を出力すると共に、クライアント信号を分岐させた冗長用クライアント信号を出力するオプティカルカプラと、クライアントインタフェースを有し、クライアントインタフェースより入力される信号を処理して冗長用ＷＤＭライン信号として出力する冗長用トランスポンダと、オプティカルカプラが出力する冗長用クライアント信号が入力され、冗長用トランスポンダのクライアントインタフェースに適合する伝送速度の信号を選択的に出力する選択切替部とを備え、選択切替部は、オプティカルカプラが出力する冗長用クライアント信号のうち、冗長用トランスポンダのクライアントインタフェースに適合しない伝送速度の信号を選択的に出力する第１のＭ（Ｍは２以上の整数）：Ｎ（Ｎは１以上の整数）スイッチと、第１のＭ：Ｎスイッチが出力する冗長用クライアント信号を処理して、冗長用トランスポンダのクライアントインタフェースに適合する伝送速度の冗長用クライアント信号として出力するマックスポンダと、オプティカルカプラが出力する冗長用クライアント信号のうち、冗長用トランスポンダのクライアントインタフェースに適合する伝送速度の信号、及び、マックスポンダが出力する冗長用トランスポンダのクライアントインタフェースに適合する伝送速度の冗長用クライアント信号を、冗長用トランスポンダへ選択的に出力する第２のＭ（Ｍは２以上の整数）：Ｎ（Ｎは１以上の整数）スイッチとで構成され、現用トランスポンダが出力するＷＤＭライン信号の波長に障害が発生すると、選択切替部は、当該障害が発生した波長のＷＤＭライン信号を出力する現用トランスポンダに入力されるクライアント信号の冗長用クライアント信号を選択して、冗長用トランスポンダのクライアントインタフェースに適合する伝送速度の冗長用クライアント信号として出力し、冗長用トランスポンダは、選択切替部が出力するクライアントインタフェースに適合する伝送速度の冗長用クライアント信号を処理して冗長用ＷＤＭライン信号を出力することを特徴とするものである。
【手続補正２】
【補正対象書類名】明細書
【補正対象項目名】００１０
【補正方法】変更
【補正の内容】
【００１０】
また、この発明に係る波長冗長方法は、入力されるクライアント信号を処理する複数の現用トランスポンダによって互いに異なる波長のＷＤＭライン信号が出力され、ＷＤＭライン信号は、収容可能なクライアント信号数が異なる複数の伝送速度が混在している波長多重光伝送システムにおいて、クライアント信号の伝送速度は、複数種類が混在しており、現用トランスポンダへクライアント信号を出力すると共に、クライアント信号を分岐させた冗長用クライアント信号を出力するオプティカルカプラと、クライアントインタフェースを有し、クライアントインタフェースより入力される信号を処理して冗長用ＷＤＭライン信号として出力する冗長用トランスポンダと、オプティカルカプラが出力する冗長用クライアント信号が入力され、冗長用トランスポンダのクライアントインタフェースに適合する伝送速度の信号を選択的に出力する選択切替部とを備え、選択切替部は、オプティカルカプラが出力する冗長用クライアント信号のうち、冗長用トランスポンダのクライアントインタフェースに適合しない伝送速度の信号を選択的に出力する第１のＭ（Ｍは２以上の整数）：Ｎ（Ｎは１以上の整数）スイッチと、第１のＭ：Ｎスイッチが出力する冗長用クライアント信号を処理して、冗長用トランスポンダのクライアントインタフェースに適合する伝送速度の冗長用クライアント信号として出力するマックスポンダと、オプティカルカプラが出力する冗長用クライアント信号のうち、冗長用トランスポンダのクライアントインタフェースに適合する伝送速度の信号、及び、マックスポンダが出力する冗長用トランスポンダのクライアントインタフェースに適合する伝送速度の冗長用クライアント信号を、冗長用トランスポンダへ選択的に出力する第２のＭ（Ｍは２以上の整数）：Ｎ（Ｎは１以上の整数）スイッチとで構成される波長冗長装置の波長冗長方法であって、現用トランスポンダが出力するＷＤＭライン信号の波長に障害が発生すると、選択切替部が、当該障害が発生した波長のＷＤＭライン信号を出力する現用トランスポンダに入力されるクライアント信号の冗長用クライアント信号を選択する信号選択ステップと、選択切替部が、信号選択ステップで選択した冗長用クライアント信号を、冗長用トランスポンダのクライアントインタフェースに適合する伝送速度の冗長用クライアント信号として出力する第１の信号出力ステップと、冗長用トランスポンダが、第１の信号出力ステップで出力されたクライアントインタフェースに適合する伝送速度の冗長用クライアント信号を処理して、冗長用ＷＤＭライン信号を出力する第２の信号出力ステップとを備えることを特徴とするものである。
【手続補正３】
【補正対象書類名】特許請求の範囲
【補正対象項目名】全文
【補正方法】変更
【補正の内容】
【特許請求の範囲】
【請求項１】
入力されるクライアント信号を処理する複数の現用トランスポンダによって互いに異なる波長のＷＤＭ（Ｗａｖｅｌｅｎｇｔｈ Ｄｉｖｉｓｉｏｎ Ｍｕｌｔｉｐｌｅｘ）ライン信号が出力され、前記ＷＤＭライン信号は、収容可能なクライアント信号数が異なる複数の伝送速度が混在している波長多重光伝送システムにおける波長冗長装置であって、
前記クライアント信号の伝送速度は、複数種類が混在しており、
前記現用トランスポンダへ前記クライアント信号を出力すると共に、前記クライアント信号を分岐させた冗長用クライアント信号を出力するオプティカルカプラと、
クライアントインタフェースを有し、前記クライアントインタフェースより入力される信号を処理して冗長用ＷＤＭライン信号として出力する冗長用トランスポンダと、
前記オプティカルカプラが出力する前記冗長用クライアント信号が入力され、前記冗長用トランスポンダの前記クライアントインタフェースに適合する伝送速度の信号を選択的に出力する選択切替部とを備え、
前記選択切替部は、
前記オプティカルカプラが出力する前記冗長用クライアント信号のうち、前記冗長用トランスポンダの前記クライアントインタフェースに適合しない伝送速度の信号を選択的に出力する第１のＭ（Ｍは２以上の整数）：Ｎ（Ｎは１以上の整数）スイッチと、
前記第１のＭ：Ｎスイッチが出力する前記冗長用クライアント信号を処理して、前記冗長用トランスポンダの前記クライアントインタフェースに適合する伝送速度の冗長用クライアント信号として出力するマックスポンダと、
前記オプティカルカプラが出力する前記冗長用クライアント信号のうち、前記冗長用トランスポンダの前記クライアントインタフェースに適合する伝送速度の信号、及び、前記マックスポンダが出力する前記冗長用トランスポンダの前記クライアントインタフェースに適合する伝送速度の冗長用クライアント信号を、前記冗長用トランスポンダへ選択的に出力する第２のＭ（Ｍは２以上の整数）：Ｎ（Ｎは１以上の整数）スイッチとで構成され、
前記現用トランスポンダが出力する前記ＷＤＭライン信号の波長に障害が発生すると、前記選択切替部は、当該障害が発生した波長の前記ＷＤＭライン信号を出力する前記現用トランスポンダに入力される前記クライアント信号の前記冗長用クライアント信号を選択して、前記冗長用トランスポンダの前記クライアントインタフェースに適合する伝送速度の冗長用クライアント信号として出力し、前記冗長用トランスポンダは、前記選択切替部が出力する前記クライアントインタフェースに適合する伝送速度の冗長用クライアント信号を処理して前記冗長用ＷＤＭライン信号を出力することを特徴とする波長冗長装置。
【請求項２】
前記選択切替部は、前記オプティカルカプラが出力する前記冗長用クライアント信号を優先度に応じて選択して出力することを特徴とする請求項１記載の波長冗長装置。
【請求項３】
入力されるクライアント信号を処理する複数の現用トランスポンダによって互いに異なる波長のＷＤＭ（Ｗａｖｅｌｅｎｇｔｈ Ｄｉｖｉｓｉｏｎ Ｍｕｌｔｉｐｌｅｘ）ライン信号が出力され、前記ＷＤＭライン信号は、収容可能なクライアント信号数が異なる複数の伝送速度が混在している波長多重光伝送システムにおいて、
前記クライアント信号の伝送速度は、複数種類が混在しており、
前記現用トランスポンダへ前記クライアント信号を出力すると共に、前記クライアント信号を分岐させた冗長用クライアント信号を出力するオプティカルカプラと、
クライアントインタフェースを有し、前記クライアントインタフェースより入力される信号を処理して冗長用ＷＤＭライン信号として出力する冗長用トランスポンダと、
前記オプティカルカプラが出力する前記冗長用クライアント信号が入力され、前記冗長用トランスポンダの前記クライアントインタフェースに適合する伝送速度の信号を選択的に出力する選択切替部とを備え、
前記選択切替部は、
前記オプティカルカプラが出力する前記冗長用クライアント信号のうち、前記冗長用トランスポンダの前記クライアントインタフェースに適合しない伝送速度の信号を選択的に出力する第１のＭ（Ｍは２以上の整数）：Ｎ（Ｎは１以上の整数）スイッチと、
前記第１のＭ：Ｎスイッチが出力する前記冗長用クライアント信号を処理して、前記冗長用トランスポンダの前記クライアントインタフェースに適合する伝送速度の冗長用クライアント信号として出力するマックスポンダと、
前記オプティカルカプラが出力する前記冗長用クライアント信号のうち、前記冗長用トランスポンダの前記クライアントインタフェースに適合する伝送速度の信号、及び、前記マックスポンダが出力する前記冗長用トランスポンダの前記クライアントインタフェースに適合する伝送速度の冗長用クライアント信号を、前記冗長用トランスポンダへ選択的に出力する第２のＭ（Ｍは２以上の整数）：Ｎ（Ｎは１以上の整数）スイッチとで構成される波長冗長装置の波長冗長方法であって、
前記現用トランスポンダが出力する前記ＷＤＭライン信号の波長に障害が発生すると、前記選択切替部が、当該障害が発生した波長の前記ＷＤＭライン信号を出力する前記現用トランスポンダに入力される前記クライアント信号の前記冗長用クライアント信号を選択する信号選択ステップと、
前記選択切替部が、前記信号選択ステップで選択した前記冗長用クライアント信号を、前記冗長用トランスポンダの前記クライアントインタフェースに適合する伝送速度の冗長用クライアント信号として出力する第１の信号出力ステップと、
前記冗長用トランスポンダが、前記第１の信号出力ステップで出力された前記クライアントインタフェースに適合する伝送速度の冗長用クライアント信号を処理して、前記冗長用ＷＤＭライン信号を出力する第２の信号出力ステップとを備えることを特徴とする波長冗長方法。
【手続補正４】
【補正対象書類名】図面
【補正対象項目名】図６
【補正方法】変更
【補正の内容】
【図６】
2015129290.tif 000012
【国際調査報告】
2015129290.tif 000013
2015129290.tif 000014